(57)【要約】      （修正有）【課題】雨水ならびに生活排水の再利用と自然落下エネルギーを利用したロータリートラップ式節水トイレを提供する。【解決手段】便器本体１０の排出部に設けた回動トラップ管２０を機械的に回動する手段１１を備え、便器本体１０内に設けた洗浄水貯留タンク５４と便器本体１０外に設けた洗浄水貯留タンク５５とを連結するとともに、雨水や生活排水等を貯留する屋外貯留タンク６６から洗浄水貯留タンク５４，５５に、便器洗浄水を汲み上げポンプ６５により供給可能とした。【選択図】図７
2010150920.tif 000002
【特許請求の範囲】
【請求項１】
便器ボウルと、排水連結管と、回動トラップ管と、回転装置と、集合枡ケースと、で構成されるロータリートラップ式節水トイレであって、
前記便器ボウルには、底部後方にフランジを有するボウル排水管を設け、
前記排水連結管は、前記ボウル排水管と前記集合枡ケースに連結するためのフランジを設け、下流方向の外周部には凹凸溝または螺子部を備えた挿入管部を延設して形成し、
前記回動トラップ管は、略Ｌ字形に屈曲した形状であって、下流側端部は上向きに開口した開口口を設け、上流側端部には前記排水連結管の凹凸挿入部に回動可能に連結するための凹凸溝または螺子部を形成し、
前記排水連結管の上流方向から下流方向に中心軸を延長する回動トラップ管の中心軸外側にスライド機構と付勢手段を突設して配設し、
前記回転装置は、回転軸先端部に前記スライド機構と前記付勢手段とを有して前記回動トラップ管の前記スライド機構と前記付勢手段に係合し、
前記集合枡ケースは、上流方向中央に前記排水連結管と連結するためのフランジを設け、後方中央には前記回転装置を連通させる軸受け穴部を設け、底面には汚物排水口を下向きに開口する構成に形成し、
前記便器ボウルと、前記排水連結管と、前記回動トラップ管と、前記回転装置と、前記集合枡ケースとを連結することで、前記スライド機構と前記付勢手段によって前記回動トラップ管の凹凸溝または螺子部を前記排水連結管の凹凸溝または螺子部に付勢させて密封当接状態を維持しつつ、前記回動トラップ管が前記回転装置によって下向き方向に回動することで洗浄水ならびに汚物が前記集合枡ケースの汚物排水口から排出されることを特徴とするロータリートラップ式節水トイレ。
【請求項２】
前記集合枡ケースの前記汚物排出口が下流方向の後方側面横向きに開口していることを特徴とする請求項１記載のロータリートラップ式節水トイレ。
【請求項３】
前記便器ボウルと、前記排水連結管と、前記回動トラップ管と、前記回転装置と、前記集合枡ケースと、が上流方向から下流方向にかけて傾斜角を有して暖勾配配管状に連結されることを特徴とする請求項１または請求項２記載のロータリートラップ式節水トイレ。
【請求項４】
便器本体内に設けられた分割式貯留タンクと、便器本体外に設けられた分離式貯留タンクと、を連結管で連結して一体化し、
最上位に位置する貯留タンク内の洗浄水の水位をフロートスイッチで管理し、
洗浄水を最下位に位置する貯留タンクから汲み上げポンプによって前記便器ボウルのリム吐出口から吐出することを特徴とする請求項１から請求項３の何れか記載のロータリートラップ式節水トイレ。
【請求項５】
前記貯留タンクに手洗い排水管、または雨水配水管、または汲み上げ配水管、または洗濯機濯ぎ排水管の何れかまたは組み合わせてそれらを屋外貯留タンクに一旦集約し、汲み上げポンプで最上位の貯留タンクに供給することを特徴とする請求項１から請求項４の何れか記載のロータリートラップ式節水トイレ。
【請求項６】
水道管直結電磁開閉バルブから直接連結される前記分離式貯留タンクが、取り外しならびに持ち運び可能な緊急非常用の貯留タンクであることを特徴とする請求項１から請求項５の何れか記載のロータリートラップ式節水トイレ。
【発明の詳細な説明】
【技術分野】
【０００１】
本発明は、雨水ならびに生活排水の再利用と自然落下エネルギーを利用した機械式排出機構を有する節水トイレに関する。
【背景技術】
【０００２】
東京都の一般家庭水使用目的調査によると、家庭での水道水の使用量は、トイレ28％、風呂24％、炊事23％、洗濯16％、洗顔・その他9％となっていて、トイレに使われる使用量が意外にも多いことや、水資源の有効利用や二酸化炭素排出量規制等の世論的な気運と相俟って、近年おいては節水型トイレの需要が一段と高まってきている。
【０００３】
そしてその節水トイレの普及率の実態は、洗浄水を便器上方周縁のリム吐水口から吐出落下させて汚物を排出する洗い落とし式に始まり、その後、サイホンの吸引現象を利用したサイホン式水洗トイレが登場することで、汚物が水中にすぐに沈み込み下水管の汚物臭が発生しにくいことや、経済成長に伴う住宅居住スペースの拡大と、日本人の体格の向上による大型洋式水洗トイレの需要が増したことからその普及率は年々増加している。
【０００４】
一方、高層マンションや高層ビルオフィスで使われる節水トイレは、汚物の排出方向が鉛直の下水排水管に連結される横向きの汚物排水管の要求がなされてきたことから、貯留ボウルの排出口近くのゼット孔からの水勢を利用し、より強力なサイホン現象を発生させて汚物を排出することができる水道管直結式のフラッシュバルブを使ったサイホンゼット式トイレや、そのゼット孔からさらに強力なシーケンシャルバルブやダイレクトバルブなどの電磁噴出バルブの水勢を利用したボルテックスゼット孔タイプの節水トイレが開発され、溜水面が広く汚れが付着しにくく、さらにシンプルでタンクレスである上、連続使用が可能など、デザインと使い勝手が格段に良くなって来ていることから、最近ではその需要を急速に伸ばしている。
【０００５】
さらに、水資源の有効利用や二酸化炭素排出量規制等の世論的な気運による節水効果と、便器デザインやトイレ室の空間利用の多様化に伴うタンクレス化の要求が高まってきた昨今では、リム吐出口から大量の洗浄水を勢いよく渦巻き状に噴出する渦巻き流（トルネード）洗浄方式や、リム吐出口とゼット孔から吐出される洗浄水を3：7の割合で分流させて電気的に噴出するハイブリット制御洗浄方式や、臭気防止用トラップ筒を機械的に上下動させるターントラップ洗浄方式（特許文献１，２参照）等の高性能の節水トイレが開発され、現在では、当初の洗い落とし方式の洗浄水の使用量と比較して三分の一以上の節水効果を達成している。
【０００６】
しかしながら、更なる洗浄水の節水ならびに水道料金の節約を実現するには、機械式排出機構を有する節水方式が最も有効と考えられるが、現在の機械式排出機構を有するターントラップ式の節水トイレにおいては、下記の示す問題点の解決が指摘されるものである。
（１）トラップ筒が蛇腹状であるため、蛇腹の凹凸部に汚物が大量に付着した場合、トラップ筒の可変構造に機械的なトラブルが発生しやすい。
（２）トラップ筒の回動機構に汚物が付着しやすい構造であることから、回動金具の腐食や故障が懸念され、その他の方式と比較して定期的なメンテナンス作業を必要とする。
（３）使用されるトラップ筒の材質に、耐久性、耐触性、柔軟性が求められるため、その性能を有する特殊材料の確保ならびに材料コスト高が懸念される。
（４）汚物やトイレットペーパーなどがトラップ筒収納室の内壁とトラップ筒の下流側開口の一端部に挟まる可能性がある。
（５）便器ボウルの排水経路が床面に対して暖勾配配管状でなかったり、また全体的に排水経路が長いことから洗浄水の貯留量が多い上、汚物の処理効率が良くない。
（６）トラップ筒収納室が、単に手洗い水の排水処理容器として使われているに過ぎず、手洗い排水の有効利用がなされていない。
【０００７】
以上のようなターントラップ式節水トイレの実情を踏まえ、現状のターントラップ式節水トイレの構造は、蛇腹状に形成されたトラップ筒を機械的に上下方向に可変する構造を有して節水効果を図っているが、本発明者は、更なる節水効果を上げる手段として略Ｌ字形に屈曲成型した回動トラップ管を回転装置で回動させる構造とし、また、スライド機構と付勢手段で常に排水連結管と回動トラップ管の凹凸溝または螺子部の谷と山部を一方向に幾重に当接させることによって洗浄水の漏れと下水配管臭を遮断する構造を採用し、さらに洗浄水の供給方式を分割式ならびに分離式の貯留タンク方式として、雨水や生活排水を使用することで水道料金の節約効果が得られる三重の効果が得られる点に着目し、本発明におけるロータリートラップ式節水トイレの提案に至るものである。
【先行技術文献】
【特許文献】
【０００８】
【特許文献１】特開２００５-１５５１４６号公報
【特許文献２】特開２００８-２９１６１２号公報
【発明の概要】
【発明が解決しようとする課題】
【０００９】
本発明は、上記問題点に鑑み、従来の機械式排出機構を有するターントラップ式の節水トイレの改善点を克服し、洗浄水の節水ならびに水道料金の節約を実現するにあたって、機械的排出機構を有する水洗トイレの略Ｌ字形に屈曲した回動トラップ管（先行技術のターントラップ筒に相当）を円周上に回動することによって機械的な可動構造を簡素化し、さらに回動接続部の密封手段を設ける共に、貯留タンクから回動トラップ管のトラップ部までの排水経路を可能な限り短縮することで洗浄水の貯水量を低減し、さらに留水タンク方式を採用することで、雨水や生活排水の再利用を図り、水道水をなるべく使用しない方法を採ることで水道料金の節約を図るもので、また、分割式と分離式の留水タンクを設けることで連続使用を可能とし、一般住宅は元より高い水圧が得られない高層マンションや高層ビルトイレでも使用できる機械的排出機構を有するロータリートラップ式節水トイレの提供を図る。
【課題を解決するための手段】
【００１０】
本発明は上記目的を達成するために、ロータリートラップ式節水トイレの回動トラップ管を機械的に回動する手段と、洗浄水の供給方式を分割式ならびに分離式の貯留タンク方式とする手段を採るもので、詳しくは、
便器ボウルと排水連結管と回動トラップ管と回転装置と集合枡ケースとで構成されるロータリートラップ式節水トイレであって、便器ボウルには、底部後方にフランジを有するボウル排水管を設け、排水連結管は、ボウル排水管と集合枡ケースに連結するためのフランジを設け、下流方向の外周部には凹凸溝または螺子部を備えた挿入管部を延設して形成し、回動トラップ管は、略Ｌ字形に屈曲した形状であって、下流側端部は上向きに開口した開口口を設け、上流側端部には排水連結管の凹凸挿入部に回動可能に連結するための凹凸溝または螺子部を形成し、排水連結管の上流方向から下流方向に中心軸を延長する回動トラップ管の中心軸外側にスライド機構と付勢手段を突設して配設し、回転装置は、回転軸先端部にスライド機構と付勢手段とを有して回動トラップ管のスライド機構と付勢手段に係合し、集合枡ケースは、上流方向中央に排水連結管と連結するためのフランジを設け、下流方向中央には回転装置を連通させる軸受け穴部を設け、底面には汚物排水口を下向きに開口する構成に形成し、便器ボウルと排水連結管と回動トラップ管と回転装置と集合枡ケースとを連結することで、スライド機構と付勢手段によって回動トラップ管の凹凸溝または螺子部を排水連結管の凹凸溝または螺子部に付勢させて密封当接状態を維持しつつ、回動トラップ管が回転装置によって下向き方向（半回転）に回動することで洗浄水ならびに汚物が集合枡ケースの汚物排水口から排出される手段を採る。
【００１１】
また本発明は、集合枡ケースの汚物排出口が、後方側面横方向に開口する手段を採る。
【００１２】
また本発明は、便器ボウルと排水連結管と回動トラップ管と集合枡ケースとが、上流方向から下流方向にかけて傾斜角を有して暖勾配配管状に連結する手段を採る。
【００１３】
また本発明は、便器本体内に設けられる分割式貯留タンクと、便器本体外に設けられる分離式貯留タンクと、を連結管で連結して一体化し、最上位に位置する貯留タンク内の洗浄水の水位をフロートスイッチで管理し、洗浄水を最下位に位置する貯留タンクから汲み上げポンプによって便器ボウルのリム吐出口から吐出する手段を採る。
【００１４】
また本発明は、貯留タンクに手洗い排水管、または雨水配水管、または汲み上げ配水管、または洗濯機濯ぎ排水管の何れかの一つまたは組み合わせてそれらを屋外貯留タンクに一旦集約し、汲み上げポンプで最上位の貯留タンクに供給する手段を採る。
【００１５】
また本発明は、水道管直結電磁開閉バルブから直接連結される分離式貯留タンクが、取り外しならびに持ち運び可能な緊急非常用の貯留タンクである手段を採る。
【発明の効果】
【００１６】
本発明のロータリートラップ式節水トイレによれば、略Ｌ字形に屈曲成型した回動トラップ管を回転装置で回動させ、さらにスライド機構と付勢手段で常に排水連結管と回動トラップ管の凹凸溝または螺子部の谷と山部を一方向に幾重にも当接させる簡単構造により、洗浄水の漏れ防止と下水配管臭を完全に遮断することができる優れた効果を奏する。
【００１７】
また、本発明のロータリートラップ式節水トイレによれば、機械的排出機構を有する回動トラップ管を回転装置によって円周方向に回動する手段を採ることで、回動機構を構成する部品と汚物や洗浄水とを完全に分離することができることから、機械的故障や汚物のつまりや臭気漏れがない優れた効果を奏する。
【００１８】
また、本発明のロータリートラップ式節水トイレによれば、集合枡ケースの汚物排出口が、床面下方向に開放していることによって、一戸建て住宅に適した節水トイレとすることができることや、後方側面壁方向に開口していることによって、高層マンションや高層ビルトイレに適した節水トイレとすることができる優れた効果を奏する。
【００１９】
また、本発明のロータリートラップ式節水トイレによれば、便器ボウルと排水連結管と回動トラップ管と集合枡ケースとが、上流方向から下流方向にかけて傾斜角を有して暖勾配配管状に連結することによって、洗浄水と汚物を自然落下エネルギーを利用して加速度的に排出することができ、特に災害時ならびに停電時においては、手回しハンドル（図３参照）と少ない流水でトイレの使用ができる優れた効果を奏する。
【００２０】
また、本発明のロータリートラップ式節水トイレによれば、便器本体内に分割された貯留タンクと、便器本体外に分離された貯留タンクとを設け、それらを連結管で連結することによって一体化し、便器本体のコンパクト化、デザイン化、大容量化が一挙に図られることで、トイレの連続使用を可能とし、またトイレ室のデッドスペースの有効利用が図られる優れた効果を奏する。
【００２１】
また、本発明のロータリートラップ式節水トイレによれば、汲み上げポンプによって洗浄水を貯留タンクから供給するため、便器ボウルのリム吐出口より渦巻き水流が噴出することによって、便器ボウルの内壁面の清掃が人手を煩わすことなく自動的にできると共に、従来のフロート弁の作動によるタンク音やゼット孔から噴出させるフラッシュバルブの衝撃作動音を解消することができる優れた効果を奏する。
【００２２】
また、本発明のロータリートラップ式節水トイレによれば、集合枡ケースの下方隅部構造は、汚物排水口を頂点として漏斗状の斜面が形成され、下水排水管に排水されることにより、洗浄水Ｓならびに汚物Ｇの排水効率を高める優れた効果を奏する。
【００２３】
また、本発明のロータリートラップ式節水トイレによれば、貯留タンクに手洗い排水管、雨水配水管、汲み上げ配水管、洗濯機濯ぎ排水管の何れかまたは組み合わせてそれらを屋外貯留タンクに一旦集約し、汲み上げポンプで最上位の貯留タンクに供給することによって、水資源の有効利用や二酸化炭素排出量の削減が図られ、水道管直結式の給水を最小限に留めることで水道料金の節約が図れる優れた効果を奏する。
【００２４】
また、本発明のロータリートラップ式節水トイレによれば、手洗い排水管、雨水配水管、汲み上げ配水管、または洗濯機濯ぎ排水管を一つの室外貯留タンクに一旦集約して連結することによって、一戸建て住宅では屋外に、高層マンション住宅ではベランダなどに設置することにより、消費者の住宅事情に合わせた節水型トイレの提供ができ、家庭で使用される水道水の60％前後がトイレ用の洗浄水として使用することができる優れた効果を奏する。
【００２５】
また、本発明のロータリートラップ式節水トイレによれば、水道管直結電磁開閉バルブから直接連結される分離式貯留タンクが、取り外しならびに持ち運び可能な緊急非常用の貯留タンクとすることで、日常的にはトイレの洗浄水として使用し、緊急非常事態時は、取り外して持ち運び可能な緊急非常用の貯留タンクとして利用できる優れた効果を奏する。
【００２６】
また、本発明のロータリートラップ式節水トイレによれば、例えば、標準的な一般家庭の１ヶ月の水道使用料金を8600円と想定すると、トイレに流用することができる風呂や洗濯に使用される水道料金は、2500〜3000円程度になると試算され、その節約効果は家計光熱費の大きな助けとなる優れた効果を奏する。
【図面の簡単な説明】
【００２７】
【図１】本発明のロータリートラップ式節水トイレの主要構造を示す斜視図である。（実施例１）
【図２】本発明のロータリートラップ式節水トイレの主要構造を示す断面説明図である。（実施例２）
【図３】本発明のロータリートラップ式節水トイレの請求項１記載の実施形態を示す説明図である。（実施例３）
【図４】本発明のロータリートラップ式節水トイレの請求項２記載の実施形態を示す説明図である。（実施例４）
【図５】本発明のロータリートラップ式節水トイレの請求項３記載の実施形態を示す説明図である。（実施例５）
【図６】本発明のロータリートラップ式節水トイレの請求項４記載の実施形態を示す説明図である。（実施例６）
【図７】本発明のロータリートラップ式節水トイレの請求項５記載の実施形態を示す説明図である。（実施例７）
【図８】本発明のロータリートラップ式節水トイレの請求項６記載の実施形態を示す説明図である。（実施例８）
【発明を実施するための形態】
【００２８】
本発明は、ロータリートラップ式節水トイレの回動トラップ管を機械的に回動にする手段と、洗浄水の供給方式を分割式ならびに分離式の貯留タンク方式とする手段を採ったことを最大の特徴とするもので、以下、実施例を図面を基に説明する。
【００２９】
尚、本実施例で示す回転装置１１ならびにスライド機構１２、付勢手段１５に関する構
造は、下記に述べる実施例に特に限定されるものでなく、本発明の主旨に逸脱しない範囲で任意に変更することができる。
【実施例１】
【００３０】
図１は、本発明のロータリートラップ式節水トイレの主要構造を示す斜視図である。
便器ボウル４０は、底部後方にフランジ４３を有するボウル排水管４１を下向きに傾斜させて設け、排水連結管４５に連結される。
【００３１】
排水連結管４５は、ボウル排水管４１と集合枡ケース３０に連結するためのフランジ４６を設け、下流方向の外周部には凹凸溝または螺子部４８を備えた挿入管部４７を延設して形成されている。また設置状態は、水平状態よりやや暖勾配配管状とすることにより自然落下エネルギーを利用した排水効率が図られ、さらに、排水経路の距離を短くすることにより洗浄水の節水効果が図れる構造である。
【００３２】
回動トラップ管２０は、排水連結管４５の挿入管部４７に回動可能に連結するための凹凸溝または螺子部２４を形成し、排水連結管４５の上流方向から下流方向に中心軸を延長する回動トラップ管２０の中心軸外側にスライド機構１２と付勢手段１５を突設して配設される構造を有する。
【００３３】
トイレ使用後は、回転装置１１によって回動され、回動トラップ管２０の開口口２３が下向きになった時点で洗浄水Ｓと汚物Ｇが排出され、上向きになった時点で洗浄水Ｓが貯留される。
【００３４】
回転装置１１は、回転軸先端部のスライド機構１２と付勢手段１５を介して回動トラップ管２０の中心軸の外側に突設されるスライド機構穴２５に係合され、スライド機構１２と付勢手段１５によって回動トラップ管２０の凹凸溝または螺子部２４を排水連結管４５の凹凸溝または螺子部４８に付勢させて密封当接状態を維持しつつ、回動トラップ管２０が回転装置１１によって下向き方向（半回転）に回動することで洗浄水Ｓならびに汚物Ｇが集合枡ケース３０の汚物排水口３２から排出する構造を有する。
【００３５】
また、回転装置１１は、回動トラップ管２０を下向き方向（半回転）に回動させる電気的手段であるが、コスト削減や停電時の臨時的な処置手段として、リンク機構、ラック＆ピニオン機構を利用した足踏み式の回動装置としたり、手動用の手回しハンドル１４を取り付けることもできる。
【００３６】
回動トラップ２１は、開口部２３を上にし、便器ボウル４０の水頭面Ｌbと略Ｌ字形に屈曲した回動トラップ管２０の開口口２３の水頭面Ｌaを同じくして回動トラップ管２０内に洗浄水Ｓが貯留される構造を有する。
【００３７】
集合枡ケース３０は、上下に分割されて、上流方向中央に排水連結管４５と連結するためのフランジ３１を設け、後方中央には回転装置１１を連通させる軸受け穴部３３を設け、該内側にはスライド機構と付勢手段をカバーする汚物避けカバーを円筒状に覆うように設け、底面には汚物排水口３２を下向きに開口して床下汚物配水管７１に連結される構造を有する。
【００３８】
一戸建て住宅に広く使われる集合枡ケース３０は、建物の床下Ｆに配管される床下汚物排水管７１に連結されて洗浄水Ｓならびに汚物Ｇが流され、集合枡ケース３０内の下方隅部３４は、汚物排水口３２に向かって漏斗状の斜面３５が形成され、洗浄水Ｓならびに汚物Ｇの排水効率を高める構造を有する。
【００３９】
高層マンション住宅や高層ビルオフィスに広く使われる集合枡ケース３０は、建物の壁内Ｋに配管される壁側汚物排水管７２に連結されて洗浄水Ｓならびに汚物Ｇが流され、集合枡ケース３０内の下方隅部３４は、汚物排水口３２に向かって漏斗状の斜面３５が形成され、洗浄水Ｓならびに汚物Ｇの排水効率を高める構造を有している。
【実施例２】
【００４０】
図２は、本発明のロータリートラップ式節水トイレの主要構造を示す断面説明図である。
集合枡ケース３０内で回動する回動トラップ管２０は、略Ｌ字形に屈曲した形状であって、下流側端部は上向きに開口した開口口２３が設けられ、上流側端部には排水連結管４５の挿入管部４７に回動可能に連結するための凹凸溝または螺子部２４を形成し、排水連結管４５の上流方向から下流方向に中心軸を延長する回動トラップ管２０の中心軸外側にスライド機構１２と付勢手段１５を突設して配設している。
【００４１】
回動トラップ管２０を回動させる回転装置１１は、集合枡ケース３０の後側外面に取り付けられ、軸受け穴部３３を連通し、回転軸先端部をスライド機構１２と付勢手段１５とを介して回動トラップ管２０のスライド機構穴２５に係合している。回動トラップ管２０と排水連結管４５を回動可能に係合する手段が凹凸溝の場合は、一方向に回動する回動方向を有し、螺子部の場合は、下向き方向（半回転）に回動した後、再び逆回転して元の位置に戻る回動方向を有する。
【００４２】
また、回動トラップ管２０と排水連結管４５の回動可能に係合するための構造において、さらに密封効果を得る構造として、凹凸溝に複数の防水ベアリングやＯリング等の軸受部品や防水・密封部品を介在させる場合は、回動トラップ管２０を縦割りにして二分割し、最終組み立て時に締め付け金具で締結して構成することもできる。
【００４３】
また、回動トラップ管２０と排水連結管４５を塩ビ管を用い、丸みのある凹凸溝または螺子部２４，４８を形成した場合、排水連結管４５の挿入管部４７に回動トラップ管２０の凹凸溝または螺子部２４を強圧入で差し込むことによって、密封ならびに回動可能に係合する構造とすることができる。
【００４４】
スライド機構１２は、回転装置１１の回転軸先端部の形状が角状を形成して成り、回動トラップ管２０のスライド軸穴２５のやや大きめの角穴に挿入することでスライド動作と回動を同時に可能にする構造を採っている。
【００４５】
付勢手段１５は、回転装置１１の回転軸先端部に圧縮バネを嵌め込んで常に排水連結管４５と回動トラップ管２０の凹凸溝または螺子部４８，２４の幾重の谷と山部を一方向に当接させることによって、洗浄水Ｓの漏れと下水配管臭を遮断することができる構造としている。
【００４６】
集合枡ケース３０は、フランジ３１部と軸受け穴部３３を境に上下に分割され、上流方向中央に排水連結管４５と連結するためのフランジ３１を設け、後方中央には回転装置１１を連通させる軸受け穴部３３を設け、底面には汚物排水口３２を下向きに開口する構成に形成し、洗浄水Ｓならびに汚物Ｇが汚物排水口３２から排出される構造を採っている。  尚、排水経路が傾斜される場合は、集合枡ケース３０の下部に角度調整台１９を設けて便器本体１０に取り付けられる。
【００４７】
また、集合枡ケース３０と排水連結管４５は、排水連結管４５の挿入管部４７の形状が凹凸溝に限って、構成部品の簡素化を図ることを目的として合体して成型加工することも可能である。
【実施例３】
【００４８】
図３は、本発明のロータリートラップ式節水トイレの請求項１記載の実施形態を示す説明図である。
便器ボウル４０と排水連結管４５と回動トラップ管２０と回転装置１１と集合枡ケース３０とで構成されるロータリートラップ式節水トイレであって、便器ボウル４０には、底部後方にフランジ４３を有するボウル排水口４１を設け、排水連結管４５は、ボウル排水口４１と集合枡ケース３０に連結するためのフランジ４６を設け、下流方向の外周部には凹凸溝または螺子部４８を備えた凹凸挿入部４７を延設して形成し、回動トラップ管２０は、略Ｌ字形に屈曲した形状であって、下流側端部は上向きに開口した開口口２３を設け、上流側端部には排水連結管４５の挿入管部４７に回動可能に連結するための凹凸溝または螺子部４８を形成し、排水連結管４５の上流方向から下流方向に中心軸を延長する回動トラップ管２０の中心軸外側にスライド機構１２と付勢手段１５を突設して配設し、回転装置１１は、回転軸先端部を前記スライド機構１２と付勢手段１５とを介して回動トラップ管２０のスライド機構穴２５に係合し、集合枡ケース３０は、上流方向中央に排水連結管４５と連結するためのフランジ３１を設け、後方中央には回転装置１１を連通させる軸受け穴部３３を設け、底面には汚物排水口３２を下向きに開口する構成に形成し、便器ボウル４０と排水連結管４５と回動トラップ管２０と回転装置１１と集合枡ケース３０とを連結することで、スライド機構１２と付勢手段１５によって回動トラップ管２０の凹凸溝または螺子部２４を排水連結管４５の凹凸溝または螺子部４８に付勢させて密封当接状態を維持しつつ、回動トラップ管２０が回転装置１１によって下向き方向（半回転）に回動することで洗浄水Ｓならびに汚物Ｇが集合枡ケース３０の汚物排水口３２から排出する一戸建て住宅仕様のロータリートラップ式節水トイレである。
【実施例４】
【００４９】
図４は、本発明のロータリートラップ式節水トイレの請求項２記載の実施形態を示す説明図である。
便器ボウル４０と、排水連結管４５と、回動トラップ管２０と、回転装置１１と、集合枡ケース３０と、で構成されるロータリートラップ式節水トイレであって、便器ボウル４０には、底部後方にフランジ４３を有するボウル排水口４１を設け、排水連結管４５は、ボウル排水口４１と集合枡ケース３０に連結するためのフランジ４６を設け、下流方向の外周部には凹凸溝または螺子部４８を備えた挿入管部４７を延設して形成し、回動トラップ管２０は、略Ｌ字形に屈曲した形状であって、下流側端部は上向きに開口した開口口２３を設け、上流側端部には排水連結管４５の凹凸挿入部４７に回動可能に連結するための凹凸溝または螺子部４８を形成し、排水連結管４５の上流方向から下流方向に中心軸を延長する回動トラップ管２０の中心軸外側にスライド機構１２と付勢手段１５を突設して配設し、回転装置１１は、回転軸先端部を前記スライド機構１２と付勢手段１５とを介して回動トラップ管２０のスライド機構穴２５に係合し、集合枡ケース３０は、上流方向中央に排水連結管４５と連結するためのフランジ３１を設け、下流方向中央には回転装置１１を連通させる軸受け穴部３３を設け、後方側面横方向には汚物排水口３２を後方横向きに開口する構成に形成し、便器ボウル４０と排水連結管４５と回動トラップ管２０と回転装置１１と集合枡ケース３０とを連結することで、スライド機構１２と付勢手段１５によって回動トラップ管２０の凹凸溝または螺子部２４を排水連結管４５の凹凸溝または螺子部４８に付勢させて密封当接状態を維持しつつ、回動トラップ管２０が回転装置１１によって下向き方向（半回転）に回動することで洗浄水Ｓならびに汚物Ｇが集合枡ケース３０の汚物排水口３２から排出する高層マンションならびに高層ビルトイレ仕様のロータリートラップ式節水トイレである。
【実施例５】
【００５０】
図５は、本発明のロータリートラップ式節水トイレの請求項３記載の実施形態を示す説明図である。
便器ボウル４０と排水連結管４５と回動トラップ管２０と集合枡ケース３０とが図示されるように、上流方向から下流方向にかけて傾斜角αを有して暖勾配配管状に設けられることによって、洗浄水Ｓならびに汚物Ｇが自然落下エネルギーよって加速度的に排出される。
【００５１】
また、排水連結管４５の中心軸と回動トラップ管２０の開口口２３の中心軸が成す開口口傾き角βの角度は、通常直角９０度を成しているが、排水経路が傾斜する場合は、９０度＋傾斜角α＝開口口傾き角β（例えば、図示では９０度＋８度＝９８度）と成り、半回転回動されて下向きになった時点で略Ｌ字形に屈曲した回動トラップ管２０の開口口２３が鉛直方向の真下またはやや後方を向いている状態が好ましい。
【００５２】
また、便器ボウル４０の形状は、どちらかといえばボルテックスタイプに近い溜水面が広い便器ボウル形状を有し、ボウル排水管４１は下部後方に位置させて可能な限り傾斜角αを持たせてボウル排水管４１を下方に向けて図示されるように暖勾配配管状に設置されることが望ましい。
【実施例６】
【００５３】
図６は、本発明のロータリートラップ式節水トイレの請求項４記載の実施形態を示す説明図である。
貯留タンク５０は、便器本体１０内の分割式貯留タンク５４と、便器本体１０外の分離式貯留タンク５５とを設け、それらを連結管５２で連結して一体化し、最上位に位置する貯留タンク５０内の洗浄水Ｓの水頭位置をフロートスイッチ５１で管理し、洗浄水Ｓを最下位に位置する分割式または分離式の貯留タンク５４，５５から汲み上げポンプ５３と吐出配水管５７によって便器ボウル４０のリム吐出口４２へ連結して吐出されるもので、補充される洗浄水Ｓは、水道管Ｈから電磁開閉バルブ１６をフロートスイッチ５１で制御して供給する。この時の水道管Ｈからの供給を制御する電磁開閉バルブ１６は、単に便器ボウル４０に洗浄水Ｓを供給すれば良く、自然落下エネルギーを利用して洗浄水Ｓと汚物Ｇを排出しているため、特に圧力を必要としないもので、従来のようなフラッシュバルブやダイレクトバルブ等を使用しないでその目的を達成することができる。
【００５４】
また、貯留タンク５０は、壁収納、コーナー収納、床下収納、便器内収納、水槽タンク、屋外貯留タンク６６などの便器本体１０周辺に分割式ならびに分離式にして設置することができるもので、最上位の貯留タンク５０のフロートスイッチ５１で水頭管理し、最下位の分割式または分離式貯留タンク５４，５５から洗浄水Ｓを汲み上げポンプ５３を作動させることによって便器ボウル４０のリム吐出口４２から吐出するものである。また、一戸建て住宅で使用される雨水、地下水、引込用水などは、屋外貯留タンク６６に一旦集約し、汲み上げポンプ６５で上位の貯留タンク５０に供給することよって水資源の有効利用と水道料金の節約が図れるものである。
【００５５】
汲み上げポンプ５３は、最下位の分割式または分離式貯留タンク５４，５５から洗浄水Ｓを吐出ポンプ配水管５７によって吐出するもので、大便の場合は吐出時間を長く設定し、小便の場合は吐出時間を短く設定して洗浄水Ｓの吐出量を調節するものである。また、フラッシュバルブやダイレクトバルブなどの電磁噴出バルブを使用していないのでタンク音やバルブ開閉衝撃音などが解消されるため静寂性の高い節水トイレの提供が可能になる。
【００５６】
オーバーフロー管５６は、Ｕ字管状のトラップを配設して下水管臭気を遮断し、集合桝ケース３０の回動トラップ管２０の回動動作に影響されない位置に任意に連結される。
【００５７】
大気通気管５８は、メインの貯留タンク５０と並行して分割式または分離式貯留タンク５４，５５の上方に連結されて設けられるもので、その大気通気口はメインの貯留タンク５０の水頭位置より高い位置の便器本体１０の任意の場所に設けられる。
【実施例７】
【００５８】
図７は、本発明のロータリートラップ式節水トイレの請求項５記載の実施形態を示す説明図である。
洗浄水Ｓは、水道管Ｈから電磁開閉バルブ１６をフロートスイッチ５１で制御して供給される外に、手洗い排水管６０、雨水配水管６１、汲み上げ配水管６２、洗濯機濯ぎ排水管６４の何れかまたは組み合わせてそれらを屋外貯留タンク６６に一旦集約し、汲み上げポンプ６５で最上位の貯留タンク５０に供給する。
【００５９】
手洗い排水管６０は、トイレ室内に設けられる手洗い便器から排出される使用済みの手洗い水を有効利用するために屋外貯留タンク６６（最上位の貯留タンク５０に直接連結可）に一旦集約し、汲み上げポンプ６５で最上位の貯留タンク５０に供給する手段を採ることができるもので、必要以上の手洗い水は、オーバーフロー管５６を通して下水排水管７３または外部に排出される。
【００６０】
雨水配水管６１は、一戸建て住宅の屋根の軒先に設けられる雨どいから供給される雨水を有効利用するために屋外貯留タンク６６に一旦集約し、汲み上げポンプ６５で最上位の貯留タンク５０に連結される。また大雨などの場合は、途中に止栓コック１７を設けて給水を強制的に停止することができる。
【００６１】
汲み上げポンプ管６２は、貯留タンクやお風呂の残り湯を再利用するもので、それ以外に一戸建て住宅で使用される雨水、地下水、引込用水などは、屋外貯留タンク６６に一旦集約し、汲み上げポンプ６５で最上位の貯留タンク５０に供給するものである。
【００６２】
洗濯機濯ぎ排水管６４は、洗濯機の洗剤を含んだ洗濯水と濯ぎ水を電磁切替バルブ１７で切替えて屋外貯留タンク６６に一旦集約し、汲み上げポンプ６５で最上位の貯留タンク５０に供給することで、更なる大きな節水効果が実現できる。
【００６３】
本発明のロータリートラップ式節水トイレの使用例を説明する。
（１）最上位の貯留タンク５０には、洗浄水Ｓが手洗い排水管６０、雨水配水管６１、汲み上げ配水管６２、洗濯機濯ぎ排水管６４の何れかまたは組み合わせてそれらを屋外貯留タンク６６に一旦集約し、汲み上げポンプ６５で最上位の貯留タンク５０に供給する。さらに洗浄水Ｓが必要とされる場合は、最上位の貯留タンク５０のフロートスイッチ５１が働き、水道管Ｈに直結される電磁開閉バルブ１６と電磁切替バルブ１７が作動して水道水が最上位の貯留タンク５０に補充される。
（２）この時の洗浄水Ｓは最下位の分割式または分離式貯留タンク５４，５５から順次貯められ、最上位の貯留タンク５０のフロートスイッチ５１で設定された水頭位置で停止する。
（３）必要以上の洗浄水Ｓの制限手段は、洗濯機濯ぎ排水管６４からの洗浄水Ｓは電磁切替バルブ１７で切り替えられ、水槽タンクやお風呂の浴槽からの洗浄水Ｓとなる水は、汲み上げポンプ６５が停止され、手洗い排水管６０と雨水配水管６１からのとなる水は洗浄水Ｓは、屋外貯留タンク６６に一旦集約してオーバーフローされる。
（４）便器ボウル４０と回動トラップ管２０の排水連結管４５内に洗浄水Ｓが開口口２３の頭水面Ｌaまで貯留された状態で待機され、その状態で使用者が用便を足す。
（５）排便された汚物Ｇは、便器ボウル４０のボウル排水管４１の底面に沈殿する。
（６）使用者によって洗浄スイッチが押される。
（７）回動トラップ管２０が回転装置１１によって下向き方向（半回転）に回動することで、汚物Ｇと洗浄水Ｓは略Ｌ字形に屈曲した回動トラップ管２０の開口口２３が下向きの状態になって集合枡ケース３０内に排出され、数秒後、回動トラップ管２０は、さらに上向き方向（半回転）に回動しながら元の位置に戻って停止する。
（８）排出された洗浄水Ｓと汚物Ｇは、集合枡ケース３０内を通って汚物排水口３２から汚物排水管７１，７２へ排出される。
（９）最下位の分割式または分離式貯留タンク５４，５５に設けられている汲み上げポンプ５３の動作スイッチが入り、便器ボウル４０のリム吐出口４２から洗浄水Ｓがタイマー設定によって一定量吐出される。
（１０）最上位の貯留タンク５０の洗浄水Ｓの補充は、分割式または分離式貯留タンク５４，５５が連結管５２で連結されて一体化しているため、最上位の貯留タンク５０のフロートスイッチ５１で設定された水頭位置まで手洗い排水管６０、雨水配水管６１、汲み上げ配水管６２、洗濯機濯ぎ排水管６４の何れかまたは組み合わせてそれらを屋外貯留タンク６６に一旦集約し、汲み上げポンプ６５で最上位の貯留タンク５０に洗浄水Ｓが補充される。
（１１）（１０）で補充される洗浄水Ｓが不足する場合、水道管Ｈに直結される電磁開閉バルブ１６と電磁切替バルブ１７が作動して水道水が最上位の貯留タンク５０に水道水が補充される。
（１２）リム吐出口４２から吐出された洗浄水Ｓは、便器ボウル４０と回動トラップ管
２０の排水経路内に貯留される。
（１３）再び使用者によって洗浄スイッチが押されてトイレの使用が繰り返される。
【実施例８】
【００６４】
図８は、本発明のロータリートラップ式節水トイレの請求項６記載の実施形態を示す説明図である。
水道管Ｈ直結の電磁開閉バルブ１６から直接連結される分離式貯留タンク５５が、取り外しならびに持ち運び可能な緊急非常用の貯留タンク６８とすることで、日常的にはトイレ用の洗浄水貯留タンクとして使用し、緊急非常事態時は、取り外して持ち運び可能な緊急非常用の貯留タンク６８として利用できる。
【産業上の利用可能性】
【００６５】
本発明のロータリートラップ式節水トイレの貯留タンクにおける雨水ならびに生活排水を再利用する方法は、都市計画における水資源施設の有効利用に繋がり、また水道管に直結する分離式貯留タンクを備えることによって、非常災害時の緊急飲料水として使用することができるものである。また洗濯機の機能搭載において、洗濯水の洗剤を含んだ排水と濯ぎ水とを切替える機能が洗濯機に装備されるようになれば、さらなる節水効果が実現されることになるもので、また冒頭の東京都の一般家庭水使用目的調査による家庭での水道水の使われ方は、トイレ28％、風呂24％、炊事23％、洗濯16％、洗顔・その他9％を示していることから、単純にトイレ28％＋風呂24％＋洗濯16％合計すると、使用される水道水は68％になり、その他雨水の利用など含めると少なくとも家庭で使用される60％前後の生活排水がトイレ用の洗浄水として使用することができるものであり、本発明によるロータリートラップ式節水トイレの産業上の利用可能性は極めて高いものと解する。
【符号の説明】
【００６６】
１０  便器本体
１１  回転装置
１２  スライド機構
１３  スライド回転軸
１４  手回しハンドル
１５  付勢手段
１６  電磁開閉バルブ
１７  電磁切替バルブ
１８  止栓コック
１９  角度調整台
２０  回動トラップ管
２１  回動トラップ
２２  トラップ部
２３  開口口
２４  凹凸部または螺子部
２５  スライド機構穴
３０  集合枡ケース
３１  フランジ
３２  汚物排水口
３３  軸受け穴部
３４  下方隅部
３５  斜面
３６  汚物避けカバー
４０  便器ボウル
４１  ボウル排水管
４２  リム吐出口
４３  フランジ
４４  ボウル排水口
４５  排水連結管
４６  フランジ
４７  挿入管部
４８  凹凸溝または螺子部
５０  貯留タンク
５１  フロートスイッチ
５２  連結管
５３  汲み上げポンプ
５４  分割式貯留タンク
５５  分離式貯留タンク
５６  オーバーフロー管
５７  吐出ポンプ配水管
５８  大気通気管
６０  手洗い排水管
６１  雨水配水管
６２  汲み上げ配水管
６４  洗濯機濯ぎ排水管
６５  汲み上げポンプ
６６  屋外貯留タンク
６７  水道水供給管
６８  緊急非常用の貯留タンク
７１  床下汚物排水管
７２  壁側汚物排水管
７３  下水排水管
Ｈ    水道管
Ｓ    洗浄水
Ｇ    汚物
Ｋ    壁
Ｆ    床下
Ｌa   水頭面
Ｌb   水頭面
α    傾斜角
β    開口口傾き角
【図１】
2010150920.tif 000003
【図２】
2010150920.tif 000004
【図３】
2010150920.tif 000005
【図４】
2010150920.tif 000006
【図５】
2010150920.tif 000007
【図６】
2010150920.tif 000008
【図７】
2010150920.tif 000009
【図８】
2010150920.tif 000010